(57)【特許請求の範囲】
【請求項１】
ＴＯＰケース内に収納されたディスクをチャッキング機構のターンテーブルとクランパで挟んで回転させるようにしたディスク装置において、
前記クランパが、前記ディスクの上面の全体を覆うように前記ディスクの直径より大きく形成され、前記クランパに、当該クランパの回転により前記ＴＯＰケース内に上昇気流を生じさせてそのＴＯＰケース内を冷却するための攪拌部材が設けられ、前記ＴＯＰケースの上壁に、ＴＯＰケース内に生じる前記上昇気流を外部に放出するための複数の開口が形成され、且つメカユニットの底壁部に複数の開口が形成されていると共に、上記攪拌部材が、前記クランパの中心部より放射状に外向きに延びてそのクランパの外側へ突き出た複数枚の長板材で形成されていることを特徴とするディスク装置。
【請求項２】
ＴＯＰケース内に収納されたディスクをチャッキング機構のターンテーブルとクランパで挟んで回転させるようにしたディスク装置において、
前記クランパが、前記ディスクの上面の全体を覆うように前記ディスクの直径より大きく形成され、前記クランパに、当該クランパの回転により前記ＴＯＰケース内に上昇気流を生じさせてそのＴＯＰケース内を冷却するための攪拌部材が設けられ、前記ＴＯＰケースの上壁に、ＴＯＰケース内に生じる前記上昇気流を外部に放出するための複数の開口が形成され、且つメカユニットの底壁部に複数の開口が形成されていると共に、前記攪拌部材が、前記クランパの上面に形成された渦巻き状の溝部で構成されていることを特徴とするディスク装置。
【発明の詳細な説明】
【技術分野】
【０００１】
本発明は、ＴＯＰケース内に収納されたディスクをチャッキング機構のターンテーブルとクランパで挟んで回転させるようにしたディスク装置に関するものである。
【背景技術】
【０００２】
第１の従来技術を図５、図６、図７、図８に示す。上下に積み重ねられるコンポーネント１０１、１０２のうち、下段側のコンポーネント１０２をＣＤプレーヤなどのディスクドライブ装置として構成する。すなわち、そのコンポーネント１０２は、ディスクＤを回転させるターンテーブル１０３とターンテーブル１０３に体工数ｒ回転自在なクランプ盤１０５とを有し、それらターンテーブル１０３とクランプ盤１０５とでディスクＤをクランプしながら回転させることができる。特に、クランプ盤１０５の上面には翼列１０６が形成され、その翼列１０６により上段側のコンポーネント１０１の内部に向けて気流が生ぜられるものである。（例えば、特許文献１参照）。
ところが、これにおいては、クランプ盤１０５でディスクＤの上面全体を覆うものではなかった。
【０００３】
第２の従来技術を図９に示す。ディスク装置２０１内のローダー２０２のターンテーブル２０３の上側に配設したクランパ２０４の上面に軸部２０５を突設し軸部２０５に羽根体２０６を設け、ディスク装置２０１の筐体２０７の蓋部２０７ａの左右隅部に外側に湾曲する隅側ガイド片２０８、２０８を設け、蓋部２０７ａにおける羽根体２０６の位置する上壁内面に内側に湾曲する左右一対の中央側ガイド片２０９、２０９を設けて、ターンテーブル２０３と一体に回転するクランパ２０４の回転で軸部２０５を介し羽根体２０６を回して風を発生させ、筐体２０７内の隅側ガイド２０８、２０８と中央側ガイド片２０９、２０９で風の流れを生じさせ、風の流れでプリント基板Ｐ上の発熱部品からの発熱を筐体２０７内で冷却して放熱するように構成したものである。（例えば、特許文献２参照）。
ところが、これにおいても、クランパ２０４でディスクＤの上面全体を覆うものではなかった。
【特許文献１】特開２０００−２１１５８号公報
【特許文献２】特開２００２−２３０９６２号公報
【発明の開示】
【発明が解決しようとする課題】
【０００４】
本発明は、上記従来の実情に鑑みてなされたものであって、ディスクの上面の全体を覆うクランパに設けた攪拌部材でＴＯＰケース内に上昇気流を生じさせることができ、この攪拌部材による上昇気流でＴＯＰケース内の冷却効果を高めることができるディスク装置を提供することを目的としている。
【課題を解決するための手段】
【０００５】
本発明は、上記課題を解決するために提案されたものであって、請求項１に記載の発明は、ＴＯＰケース内に収納されたディスクをチャッキング機構のターンテーブルとクランパで挟んで回転させるようにしたディスク装置において、前記クランパが、前記ディスクの上面の全体を覆うように前記ディスクの直径より大きく形成され、前記クランパに、当該クランパの回転により前記ＴＯＰケース内に上昇気流を生じさせてそのＴＯＰケース内を冷却するための攪拌部材が設けられ、前記ＴＯＰケースの上壁に、ＴＯＰケース内に生じる前記上昇気流を外部に放出するための複数の開口が形成され、且つメカユニットの底壁部に複数の開口が形成されていると共に、上記攪拌部材が、前記クランパの中心部より放射状に外向きに延びてそのクランパの外側へ突き出た複数枚の長板材で形成されていることを特徴としている。
【０００６】
請求項２に記載の発明は、ＴＯＰケース内に収納されたディスクをチャッキング機構のターンテーブルとクランパで挟んで回転させるようにしたディスク装置において、
前記クランパが、前記ディスクの上面の全体を覆うように前記ディスクの直径より大きく形成され、前記クランパに、当該クランパの回転により前記ＴＯＰケース内に上昇気流を生じさせてそのＴＯＰケース内を冷却するための攪拌部材が設けられ、前記ＴＯＰケースの上壁に、ＴＯＰケース内に生じる前記上昇気流を外部に放出するための複数の開口が形成され、且つメカユニットの底壁部に複数の開口が形成されていると共に、前記攪拌部材が、前記クランパの上面に形成された渦巻き状の溝部で構成されていることを特徴としている。
【発明の効果】
【０００７】
以上説明したように、請求項１及び請求項２に係る各発明は、ＴＯＰケース内に収納されたディスクをチャッキング機構のターンテーブルとクランパで挟んで回転させるようにしたディスク装置において、ディスクの上面の全体を覆うクランパの上面に設けた複数の長板材、渦巻き状の溝部のいずれかで形成された攪拌部材がＴＯＰケース内に上昇気流を生じさせてそのＴＯＰケース内を冷却するので、その上昇気流でＴＯＰケース内の冷却効果を高めることができる。
【発明を実施するための最良の形態】
【０００８】
図１には参考例に係るディスク装置の縦断面図を示し、図２には参考例に係るディスク装置の部分斜視図を示してある。そして、図３に本発明の第１実施形態のディスク装置の部分斜視図を示し、図４に本発明の第２実施形態の部分斜視図を示してある。
【０００９】
参考例のディスク装置は、図１に示すように、ＴＯＰケース１内に、内部が開放された基台部２が接地され、この基台部２の内部にチャッキング機構３と光ピックアップ４等のメカユニットが内蔵されている。更に、基台部２上には、上面にディスクＤがセットされるトレイ５がＴＯＰケース１の前面の開口部１ａから出し入れ可能に配置されている。また、トレイ５の内側には、チャッキング機構３で上下動されてディスクＤを上向きに持ち上げて回転駆動部材（図示略）で回転されてディスクＤを回転させるターンテーブル６が配置されている。そして、このターンテーブル６の上側には、このターンテーブル６との間にディスクＤを挟持するクランパ７が回転可能に配置されている。
【００１０】
このクランパ７は、ディスクＤの上面全体を覆う大きさに形成されており、その上面に複数の羽根体８が斜め上向きに突設されている。このクランパ７は基台部２の左右両側から上側に下向きに略コ字形に架け渡された支持板１１の中央部に垂下された支持片部１２に、上面中央の垂設支持片７ｃが回転可能に支持されてクランパ７が回転できるようになっている。
【００１１】
更に、ターンテーブル６の中心部には上向きの突部６ａが突設されていて、このターンテーブル６とクランパ７でディスクＤを挟持したときに、この突部６ａがディスクＤの中心穴部ｄとクランパ７の下面の中心凹部７ａに入り込んで、ディスクＤが外れないようにしている。
【００１２】
また、ＴＯＰケース１の上壁には、複数の開口１ｂが形成され、且つメカユニットの底壁部９に複数の開口９ａが形成されている。
【００１３】
上記のように構成された参考例のディスク装置では、ターンテーブル６とクランパ７とでディスクＤを挟持した状態で、ターンテーブル６が回転されると、ディスクＤとクランパ７が一体に回転し、クランパ７の回転によるクランパ７の上面の複数の羽根体８によってＴＯＰケース１内に対流が生じてＴＯＰケース内に上昇気流が発生する。これによって、ＴＯＰケース１内が冷却されることとなる。
また、ＴＯＰケース１の上壁の複数の開口１ｂとメカユニットの底壁部９の複数の開口９ａとから外部の空気が入るとともに、ＴＯＰケース１内の上昇気流が開口１ｂから外部に出てメカユニット等から発生する熱が上昇気流によってＴＯＰケース１内から外部に放出されてＴＯＰケース１内は冷却されて、熱が内部にこもることがなく、冷却効果を上げることができる。
【００１４】
図３は第１実施形態のディスク装置の部分斜視図である。この図３に示した要素は、図２に示した参考例としてのディスク装置の部分の代わりに、図１に示されているＴＯＰケース１内に収納されている。
この第１実施形態のディスク装置は、図３に示すように、クランパ７Ａを構成し中心部より放射状に外向きに延び且つ外側に向けて上向きに傾斜した上面部を有する複数枚の長板材１０で形成された攪拌部材が設けられている。
このクランパ７Ａを構成する複数枚の長板材１０が、ターンテーブル６、ディスクＤと一体に回転されることによって、ＴＯＰケース１内に対流が生じ上昇気流が発生して冷却効果が高められる。
【００１５】
図４は第２実施形態のディスク装置の要部の部分斜視図である。この図４に示した要素は、図２に示した参考例としてのディスク装置の部分の代わりに、図１に示されているＴＯＰケース１内に収納されている。
この第２実施形態のディスク装置は、図４に示すように、クランパ７Ｂの上面に形成された渦巻き状の溝部７ｂで攪拌部材が構成されている。
このクランパ７Ｂが、ターンテーブル６、ディスクＤと一体に回転されると、渦巻き状の溝部７ｂによってＴＯＰケース１内に対流が生じ上昇気流が発生して冷却効果が高められる。
【図面の簡単な説明】
【００１６】
【図１】参考例のディスク装置の縦断面図である。
【図２】参考例の部分斜視図である。
【図３】第１実施形態のディスク装置の部分斜視図である。
【図４】第２実施形態のディスク装置の要部の部分斜視図である。
【図５】従来のディスクドライブ装置の正面概略図である。
【図６】同装置の斜視概略図でる。
【図７】同装置の側断面図である。
【図８】同装置におけるターンテーブルとクランプ盤とでディスクをクランプした状態示す部分断面図である。
【図９】従来のディスク装置における放熱構造を示す縦断面図である。
【符号の説明】
【００１７】
１  ＴＯＰケース
１ａ  開口部
１ｂ  開口
２  基台部
３  チャッキング機構
４  光ピックアップ
５  トレイ
６  ターンテーブル
６ａ  突部
７  クランパ
７Ａ  クランパ
７Ｂ  クランパ
７ａ  中心凹部
７ｂ  渦巻き状の溝部
７ｃ  垂設支持片
９  底壁部
９ａ  開口
１０  長板材
１１  支持板
１２  支持片部
Ｄ  ディスク
ｄ  中心穴部
【図１】
0004088890.tif 000002
【図２】
0004088890.tif 000003
【図３】
0004088890.tif 000004
【図４】
0004088890.tif 000005
【図５】
0004088890.tif 000006
【図６】
0004088890.tif 000007
【図７】
0004088890.tif 000008
【図８】
0004088890.tif 000009
【図９】
0004088890.tif 000010